(57)【要約】【課題】E-UTRANで待ち受けている場合にE-UTRAN以外のアクセス網のセル再選択を好適に行い、CS系のアクセス網への発着信処理を適切に行うことができるようにする。【解決手段】本発明の移動無線端末においては、無線送受信部は、回線交換網に属する基地局と無線信号を用いて送受信し、回線交換網に接続され回線交換網とともに１つの統合通信網を形成する移動体通信網に属する基地局と無線信号を用いて送受信し、制御部は、移動体通信網に属する基地局で待ち受け中に回線交換網に関する発着信要求があった場合、回線交換網に属する基地局または基地局のセルの再選択を行う際に用いられるパラメータ群を設定し、パラメータ群を用いて回線交換網に関する測定を行い、回線交換網に関する再選択基準を満たした場合、無線送受信部を介して回線交換網に属する基地局を再選択するように制御する。【選択図】  図６
2010068250.tif 000002
【特許請求の範囲】
【請求項１】
回線交換網に属する基地局と無線信号を用いて送受信する回線交換網送受信手段と、
前記回線交換網に接続され、前記回線交換網とともに１つの統合通信網を形成する移動体通信網に属する基地局と無線信号を用いて送受信する移動体通信網送受信手段と、
前記移動体通信網に属する基地局で待ち受け中に前記回線交換網に関する発着信要求があった場合、前記回線交換網に属する基地局の再選択を行う際に用いられるパラメータ群を設定する設定手段と、
前記設定手段により設定された前記パラメータ群を用いて前記回線交換網に関する測定を行い、前記回線交換網に関する再選択基準を満たした場合、回線交換網送受信手段を介して前記回線交換網に属する基地局を再選択するように制御する制御手段とを備えることを特徴とする移動無線端末。
【請求項２】
前記設定手段は、前記回線交換網に関する測定開始条件および再選択基準を満たすように前記パラメータ群を設定することを特徴とする請求項１に記載の移動無線端末。
【請求項３】
前記設定手段は、前記移動体通信網に属する基地局で待ち受け中に前記回線交換網に関する発着信要求があった場合に前記パラメータ群を設定するとき、前記移動体通信網の同一周波数に属する基地局のサーチ開始判定に用いられるしきい値を無視する設定にし、再選択対象の前記回線交換網の選択優先度値を前記移動体通信網の選択優先度よりも高く設定し、前記回線交換網に属する基地局の観測期間をゼロに設定し、再選択対象の前記回線交換網の選択優先度値が前記移動体通信網の選択優先度よりも高い場合での前記回線交換網に属する基地局の再選択判定に用いられるしきい値を前記回線交換網に接続する際に必要とされる最低限度の数値に設定することを特徴とする請求項２に記載の移動無線端末。
【請求項４】
前記設定手段は、前記移動体通信網に属する基地局で待ち受け中に前記回線交換網に関する発着信要求があった場合、前記パラメータ群を、予め設定されている第１のパラメータ群に代えて、前記第１のパラメータ群と異なる第２のパラメータ群に変更することを特徴とする請求項１に記載の移動無線端末。
【請求項５】
前記制御手段により再選択された前記回線交換網に属する基地局に前記回線交換網を介して接続する接続手段をさらに備え、
前記設定手段は、再選択された前記回線交換網に属する基地局への接続が確立するまで、前記パラメータ群を前記第２のパラメータ群に設定したままの状態を維持し、
前記制御手段は、所定の条件が満たされない限り、前記回線交換網に属する基地局への接続が確立するまで、再選択された前記回線交換網に属する基地局への接続を繰り返し行うことを特徴とする請求項４に記載の移動無線端末。
【請求項６】
前記制御手段は、前記回線交換網に属する基地局への接続が不成功となった回数が所定の回数に達したとき、再選択された前記回線交換網に属する基地局への接続を中止することを特徴とする請求項５に記載の移動無線端末。
【請求項７】
前記制御手段は、前記回線交換網に属する基地局への接続が確立しないままの状態で、再選択された前記回線交換網に属する基地局への接続開始から所定の時間経過したときに、再選択された前記回線交換網に属する基地局への接続を中止することを特徴とする請求項５に記載の移動無線端末。
【請求項８】
前記設定手段は、再選択された前記回線交換網に属する基地局への接続が中止された場合、前記パラメータ群を前記第２のパラメータ群に代えて前記第１のパラメータ群に再設定することを特徴とする請求項６または７に記載の移動無線端末。
【請求項９】
前記設定手段は、前記移動体通信網の同一周波数に属する基地局のサーチ開始判定に用いられるしきい値に関する無視の設定を解除し、再選択対象の前記回線交換網の選択優先度値を前記移動体通信網の選択優先度よりも高くする設定を解除し、前記回線交換網に属する基地局の観測期間をゼロに代えて所定の基準期間に設定し、再選択対象の前記回線交換網の選択優先度値が前記移動体通信網の選択優先度よりも高い場合での前記回線交換網に属する基地局の再選択判定に用いられるしきい値を所定の基準値に設定することを特徴とする請求項８に記載の移動無線端末。
【請求項１０】
前記設定手段は、再選択された前記回線交換網に属する基地局への接続が確立した場合、前記パラメータ群を前記第２のパラメータ群に代えて前記第１のパラメータ群に再設定することを特徴とする請求項５に記載の移動無線端末。
【請求項１１】
前記設定手段は、前記移動体通信網の同一周波数に属する基地局のサーチ開始判定に用いられるしきい値に関する無視の設定を解除し、再選択対象の前記回線交換網の選択優先度値を前記移動体通信網の選択優先度よりも高くする設定を解除し、前記回線交換網に属する基地局の観測期間をゼロに代えて所定の基準期間に設定し、再選択対象の前記回線交換網の選択優先度値が前記移動体通信網の選択優先度よりも高い場合での前記回線交換網に属する基地局の再選択判定に用いられるしきい値を所定の基準値に設定することを特徴とする請求項１０に記載の移動無線端末。
【請求項１２】
前記移動体通信網で待ち受け中に前記回線交換網への発信要求があり、かつ前記回線交換網に属する基地局の再選択が失敗したか、または前記回線交換網に属する基地局への接続確立に失敗した場合、前記接続手段は、前記移動体通信網送受信手段を介して前記移動体通信網に属する基地局に対して接続要求を送信し、前記移動体通信網に属する基地局への接続を確立することを特徴とする請求項５に記載の移動無線端末。
【請求項１３】
前記移動体通信網で待ち受け中に前記回線交換網からの着信要求があり、かつ前記回線交換網に属する基地局の再選択が失敗したか、または前記回線交換網に属する基地局への接続確立に失敗した場合、前記接続手段は、前記移動体通信網送受信手段を介して前記移動体通信網に属する基地局に対してPaging応答を送信し、前記移動体通信網に属する基地局への接続を確立することを特徴とする請求項５に記載の移動無線端末。
【請求項１４】
前記移動体通信網により指定される間欠受信周期で実行される前記移動体通信網送受信手段による間欠受信処理中または前記間欠受信処理以外のときに前記回線交換網に関する発信要求があった場合、前記設定手段は、前記パラメータ群を設定することを特徴とする請求項１に記載の移動無線端末。
【請求項１５】
回線交換網に属する基地局と無線信号を用いて送受信し、
前記回線交換網に接続され、前記回線交換網とともに１つの統合通信網を形成する移動体通信網に属する基地局と無線信号を用いて送受信し、
前記移動体通信網に属する基地局で待ち受け中に前記回線交換網に関する発着信要求があった場合、前記回線交換網に属する基地局の再選択を行う際に用いられるパラメータ群を設定し、
設定された前記パラメータ群を用いて前記回線交換網に関する測定を行い、前記回線交換網に関する再選択基準を満たした場合、前記回線交換網に属する基地局を再選択するように制御することを特徴とする通信処理方法。
【請求項１６】
前記移動体通信網で待ち受け中に前記回線交換網からの着信要求があり、かつ前記回線交換網に属する基地局の再選択が失敗したか、または前記回線交換網に属する基地局への接続確立に失敗した場合、前記移動体通信網に属する基地局に対してPaging応答を送信し、前記移動体通信網に属する基地局への接続を確立するとともに、前記Paging応答を解釈し、前記回線交換網にPaging応答を送信することを特徴とする請求項１５に記載の通信処理方法。
【請求項１７】
少なくともUTRAN、GERAN、およびcdma2000 1x CSアクセス網のいずれか１つ以上が含まれる回線交換網に属する基地局と無線信号を用いて送受信する回線交換網送受信手段と、
前記回線交換網に接続され、前記回線交換網とともに１つの統合通信網を形成するE-UTRANに属する基地局と無線信号を用いて送受信する移動体通信網送受信手段と、
前記E-UTRANに属する基地局で待ち受け中に前記回線交換網に関する発着信要求があった場合、前記回線交換網に属する基地局の再選択を行う際に用いられるパラメータ群を設定する設定手段と、
前記設定手段により設定された前記パラメータ群を用いて前記回線交換網に関する測定を行い、前記回線交換網に関する再選択基準を満たした場合、回線交換網送受信手段を介して前記回線交換網に属する基地局を再選択するように制御する制御手段とを備えることを特徴とする移動無線端末。
【請求項１８】
前記統合通信網は、CS Fallback機能を有することを特徴とする請求項１７に記載の移動無線端末。
【請求項１９】
前記回線交換網は、cdma2000 1x CSアクセス網であることを特徴とする請求項１７に記載の移動無線端末。
【請求項２０】
少なくともUTRAN、GERAN、およびcdma2000 1x CSアクセス網のいずれか１つ以上が含まれる回線交換網に属する基地局と無線信号を用いて送受信し、
前記回線交換網に接続され、前記回線交換網とともに１つの統合通信網を形成するE-UTRANに属する基地局と無線信号を用いて送受信し、
前記E-UTRANに属する基地局で待ち受け中に前記回線交換網に関する発着信要求があった場合、前記回線交換網に属する基地局の再選択を行う際に用いられるパラメータ群を設定し、
設定された前記パラメータ群を用いて前記回線交換網に関する測定を行い、前記回線交換網に関する再選択基準を満たした場合、前記回線交換網に属する基地局を再選択するように制御し、
前記E-UTRANで待ち受け中に前記回線交換網からの発信要求があり、かつ前記回線交換網に属する基地局の再選択が失敗したか、または前記回線交換網に属する基地局への接続確立に失敗した場合、前記E-UTRANに属する基地局に対してConnection requestを送信し、前記E-UTRANに属する基地局への接続を確立するとともに、前E-UTRANを経由して前記回線交換網に発信することを特徴とする通信処理方法。
【請求項２１】
少なくともUTRAN、GERAN、およびcdma2000 1x CSアクセス網のいずれか１つ以上が含まれる回線交換網に属する基地局と無線信号を用いて送受信し、
前記回線交換網に接続され、前記回線交換網とともに１つの統合通信網を形成するE-UTRANに属する基地局と無線信号を用いて送受信し、
前記E-UTRANに属する基地局で待ち受け中に前記回線交換網に関する発着信要求があった場合、前記回線交換網に属する基地局の再選択を行う際に用いられるパラメータ群を設定し、
設定された前記パラメータ群を用いて前記回線交換網に関する測定を行い、前記回線交換網に関する再選択基準を満たした場合、前記回線交換網に属する基地局を再選択するように制御し、
前記E-UTRANで待ち受け中に前記回線交換網からの着信要求があり、かつ前記回線交換網に属する基地局の再選択が失敗したか、または前記回線交換網に属する基地局への接続確立に失敗した場合、前記E-UTRANに属する基地局に対してPaging responseを送信し、前記E-UTRANに属する基地局への接続を確立するとともに、前記Paging responseを解釈し、前記回線交換網にPaging responseを送信することを特徴とする通信処理方法。
【発明の詳細な説明】
【技術分野】
【０００１】
本発明は移動無線端末および通信処理方法に係り、特に、E-UTRAN（Evolved Universal Trrestrial Radio Access Network）で待ち受けている場合に、E-UTRANを経由してCS（回線交換）系サービスのイベントを受信したとき、CS系のアクセス網に接続することができるようにした移動無線端末および通信処理方法に関する。
【背景技術】
【０００２】
第３世代携帯電話規格の標準化団体である３ＧＰＰによって規定されている3GPP TS23.272 V8.0.0（以下、「TS23.272」という）では、E-UTRAN（Evolved Universal Terrestrial Radio Access Network）と、回線交換網（CS網）を有する移動体通信網（例えばUTRAN（Universal Terrestrial Radio Access Network）やGERAN（GSM/EDGE Radio Access Network）、cdma2000 1x RTT（1x Radio Transmission Technology）CSアクセス網（以下、「1x CSアクセス網」という）など）とが統合されたEPS（Evolved Packet System）において、移動無線端末（UE: User Equipment）がE-UTRANで待ち受けている際にCSサービスを実施する場合での協調動作（CS Fallback）方法が規定されている。
【０００３】
図１は、CS Fallback機能を有するEPSの概略を示している。図１に示されるように、EPSはE-UTRANと、CSサービスを提供するアクセス網としてのUTRANとGERANを有し、これらは各インタフェースを介してCN（Core Network）内のMSC（Mobile-services Switching Center）Serverに接続されている。勿論、EPSは、E-UTRANと、CSサービスを提供するアクセス網としてのUTRANとGERANを有するようにしているが、1x CSアクセス網を有するようにしてもよい。
【０００４】
CS Fallback機能を有するEPSにおいては、移動無線端末は通常E-UTRANで待ち受けを実施する。そして、移動無線端末は、EPS側からのCS着信通知や移動無線端末内のサービス要求などのCS系サービスのイベント（CS発信、CS着信、CS SMS(Short Message Service)等）が発生した場合に、CSサービスを実施するためにUTRANやGERAN、または1x CSアクセス網に接続し、これらの網との間で情報を送受信する。§6.4, 7.2では、E-UTRAN基地局で待ち受けていた移動無線端末が、CSサービスを提供するUTRANまたはGERANへ発信と着信を実施する処理について解説している。1x CSアクセス網へ接続については、Annex B2.2, B2.3にて解説されている。
【０００５】
図２は、移動無線端末がE-UTRANで待ち受けている場合に1x CSアクセス網に対して発信する際の移動無線端末とEPSの各構成間の処理のシーケンスを示している。図２に示されるように、移動無線端末（UE）は、E-UTRANで待ち受けしており、1x RTT(Radio Transmission Technology) MSC(Mobile Switching Center）に登録されている。そして、E-UTRANで待ち受けている場合に1x CSアクセス網に対して発信する際、移動無線端末は1xRTTのセル再選択を行い、3GPP2の規格によって移動無線端末と1x CSアクセス網との間での1x CS MO（Mobile Originated）通話が確立される。図３は、移動無線端末がE-UTRANで待ち受けている場合に1x CSアクセス網からの着信を処理する際の移動無線端末とEPS各構成間の処理のシーケンスを示している。図３に示されるように、移動無線端末（UE）は、E-UTRANで待ち受けしており、1x RTT MCSに登録されている。そして、移動無線端末がE-UTRANで待ち受けている場合に1x CSアクセス網からの着信を受ける場合、まず、1xRTT MCSは、1x CS IWSからのPaging Requestを受信し、S102インタフェースのDirect transferでもって、1x RTT CS PagingをMMEに伝達する。なお、移動無線端末がE-UTRANがアイドル状態であり、次に伝送すべき1x RTT CS Pagingメッセージを受信できない場合、MMEは、Network-initiated services requestを移動無線端末に対してE-UTRANを介して伝送し、1x RTT CS Pagingを受信できるように移動無線端末とMME間に接続設定する。そして、MMEは、S1 cdma2000 Tunnelingの機能を用いて、1x RTT CS PagingをE-UTRANに伝送し、E-UTRANは1x RTT CS PagingメッセージをUL/DL information transferでもって移動無線端末に送信する。
【０００６】
移動無線端末は1xRTTのセル再選択を行い、1x RTT CS Page Response Messageをここに記載されていない1xRTT基地局へ送信し、この1xRTT基地局を介して、1x CS IWSに送信する。1x CS IWSは、Paging Responseを1x RTT MSCに送信する。これにより、3GPP2の規格によって移動無線端末と1x CSアクセス網との間での1x MT通話が確立される。このようにTS23.272によれば、移動無線端末はE-UTRANで待ち受けてさえいれば、CS Fallback機能を用いることで、CS系のアクセス網に対して待ち受けすることなくE-UTRAN自身が直接提供しないCS系サービスを利用することができる。
【０００７】
また、3GPP TS36.304 V8.2.0（以下、「TS36.304」という）では、移動無線端末（UE）がE-UTRAで待ち受けている際に移動無線端末が行う処理が規定されている。特に、§5.2.4では、移動無線端末がE-UTRAに所在している際に他のアクセス網（例えばUTRANやGERAN、1x CSアクセス網など）へのセル再選択を行うための測定方法とその選択基準に関して記述されている。移動無線端末は、これらの規定に準じて他のアクセス網へのセル選択を実施することが可能となっている。
【非特許文献１】3GPP TS23.272 V8.0.0
【非特許文献２】3GPP TS36.304 V8.2.0
【発明の開示】
【発明が解決しようとする課題】
【０００８】
上述したTS23.272によれば、移動無線端末がE-UTRAで待ち受けている際に1x CSアクセス網側への発信および着信処理をする場合、移動無線端末が規定に従ったセル再選択を行い、移動無線端末が接続する接続先のセルがE-UTRAのセルから1x CSアクセス網のセルへ遷移した後に1x CSアクセス網への発信および着信を実施するようにしている。しかしながら、上述したTS23.272によれば、1x CSアクセス網へのセル再選択に関わる具体的方法については規定されていない。さらに、上述したTS36.304では、E-UTRANにおけるセル再選択を規定しているものの、TS23.272の処理が考慮されていない。そのため、TS23.272で規定される処理が意図するように実施されない問題があった。
【０００９】
以下に、具体的に説明する。TS36.304 §5.2.4によれば、E-UTRANで待ち受けている移動無線端末が例えば1x CSアクセス網を始めとするE-UTRAN以外のアクセス網のセルへセル再選択を行う場合、まず、移動無線端末はE-UTRAN以外のアクセス網のセルに関する測定を行い、続いてその測定結果が基準を満たしているかを判断する必要がある。
【００１０】
このとき、E-UTRAN以外のアクセス網のセルに関する測定を開始するためにはセル測定開始の条件を満たす必要がある。セル測定開始条件は次の通りである。
【００１１】
（セル測定開始条件１）：
（現在待ち受けているE-UTRANのセルのS値）＜（Sintrasrch）
かつ
（セル再選択対象のE-UTRAN以外のアクセス網のReselection Priority）＞（現在待ち受けているE-UTRANのReselection Priority）
であること。
【００１２】
（セル測定開始条件２）：
（現在待ち受けているE-UTRANのセルのS値）＜（Sintrasrch）
かつ
（セル再選択対象のE-UTRAN以外のアクセス網のReselection Priority）≦（現在待ち受けているE-UTRANのReselection Priority）
かつ
（現在待ち受けE-UTRANのS値）＜（Snonintrasrch）
であること。
【００１３】
なお、「E-UTRANのセルのS値」はE-UTRANのセルからの受信信号強度をもとに算出されるシグナル値を意味し、「Sintrasrch」はE-UTRANの同一周波数に属するセルのサーチ開始判定に用いられるしきい値を意味する。また、「Reselection Priority」はそれぞれのアクセス網に属する基地局の再選択処理に用いられる選択優先度値を意味しており、「Snonintrasrch」はE-UTRANの同一周波数に属するセル以外のサーチ開始判定に用いられるしきい値を意味する。
【００１４】
これらのセル測定開始条件（セル測定開始条件１とセル測定開始条件２）のいずれかが満たされると、E-UTRAN以外のアクセス網のセルに関する測定が開始される。しかし、移動無線端末がセル再選択を行うためには、セルに関する測定結果がセル測定開始条件に応じて次の（セル再選択基準１）もしくは（セル再選択基準２）の基準を満たすことが必要である。
【００１５】
（セル再選択基準１）：
セル測定開始条件１の（セル再選択対象のE-UTRAN以外のアクセス網のReselection Priority）＞（現在待ち受けているE-UTRANのReselection Priority）を満たす場合において
（セル再選択対象のE-UTRAN以外のアクセス網のセルのS値）＞（Threshx,high）の状態がTreselectionRAT間以上継続すること。
【００１６】
（セル再選択基準２）：
セル測定開始条件２の（セル再選択対象のE-UTRAN以外のアクセス網のReselection Priority）≦（現在待ち受けているE-UTRANのReselection Priority）を満たす場合において
（現在待ち受けE-UTRANのセルのS値）＜（Threshserving,low）
かつ
（セル再選択対象のE-UTRAN以外のアクセス網のセルのS値）＞（Threshx,low）の状態がTreselectionRAT間以上継続すること。
【００１７】
なお、「Threshx,high」は、セル再選択対象のE-UTRAN以外のアクセス網の選択優先度値が現在待ち受けているE-UTRANの選択優先度よりも高い場合での、E-UTRAN以外のアクセス網の特定周波数ｘに属するセルの再選択判定に用いられるしきい値を意味しており、「TreselectionRAT間」はE-UTRAN以外アクセス網のセルの観測期間を意味している。TreselectionRATはアクセス網毎に規定されている（例えば、1xRTT網の場合には、TreselectionCDMA_1xRTTと表記される）また、「Threshserving,low」は現在待ち受けているE-UTRANのセルの選択の下限値を意味しており、「Threshx,low」は、セル再選択対象のE-UTRAN以外のアクセス網の選択優先度値が現在待ち受けているE-UTRANの選択優先度以下である場合での、E-UTRAN以外のアクセス網の特定周波数ｘに属するセルの再選択判定に用いられるしきい値を意味している。
【００１８】
ここで、図４のフローチャートを参照して、セル測定開始条件およびセル再選択基準に基づいて移動無線端末にて行われるE-UTRAN待ち受け中のセル再選択動作について説明する。なお、例えばUTRAN、GERAN、または1x CSアクセス網などを用いたアクセス網のセルをセルの再選択対象とすることができるが、例えば1x CSアクセス網方式を取った場合について説明する。
【００１９】
ステップＳ１において、移動無線端末は、E-UTRANの着信監視のための間欠起床を行い、無線送受信部３２などを制御しE-UTRAN間欠受信を行う。ステップＳ２において、移動無線端末は、1x CSアクセス網に関するセル測定開始条件（上述したセル測定開始条件１および２）を満たすか否かを判定する。ステップＳ２において移動無線端末が1x CSアクセス網に関するセル測定開始条件を満たすと判定した場合、移動無線端末はステップＳ３で、1x CSアクセス網用の受信回路を起動して1x CSアクセス網と同期を取った後、ステップＳ４で1x CSアクセス網のセルに関する測定を行う。ステップＳ５において、移動無線端末は、1x CSアクセス網に関するセル再選択基準（上述したセル再選択基準１および２）を満たすか否かを判定する。ステップＳ５において移動無線端末が1x CSアクセス網に関するセル再選択基準を満たすと判定した場合、移動無線端末はステップＳ６で、1x CSアクセス網のセルを再選択する。一方、ステップＳ５において1x CSアクセス網に関するいずれのセル再選択基準も満たさないと判定した場合、移動無線端末はステップＳ７で、1x CSアクセス網のセルを再選択せず、ステップＳ８で、E-UTRANから指定される間欠受信周期（DRXE-UTRAN）を用いてE-UTRAN間欠受信用タイマを設定する。ステップＳ９において、移動無線端末は、設定されたE-UTRAN間欠受信用タイマのカウント動作を開始し、ステップＳ１０で移動無線端末は、無線送受信部などを制御し、E-UTRAN用の回路を停止するとともにSleepする。
【００２０】
ところが、図４を用いて説明したE-UTRAN間欠受信動作により、E-UTRANで待ち受け中にTS23.272によるCS Fallback機能を実行する際の1x CSアクセス網へのセル再選択を実施する場合、少なくとも次のような問題が発生する。第１に、測定開始条件１もしくは測定開始条件２を満たしていない場合、移動無線端末においてはセル再選択のための測定が開始されず、結果セル再選択を実施することができない。第２に、再選択基準１もしくは再選択基準２においては、各基準での所定の状態がTreselectionRAT（TreselectionCDMA_1xRTT）で規定される時間以上継続する必要があるために、1x CSアクセス網へのセル再選択が遅延してしまい、その結果、TS23.272で規定される1x CSアクセス網への発着信処理が遅延してしまう。第３に、測定開始条件に応じてそれぞれE-UTRAN以外のアクセス網のセルのS値がThreshx,highか、またはThreshx,lowを超えない限り、1x CSアクセス網へのセル再選択が実施されない。そのため、1x CSアクセス網側で通信できるレベルにあるにもかかわらず、これらのしきい値によってセル再選択の実施が制限されてしまい、その結果、1x CSアクセス網側で通信が開始できない。そうすると、これらの問題のために、TS23.272で規定される処理が最悪の場合実施できない状態に陥ってしまう。
【００２１】
本発明は、このような状況に鑑みてなされたものであり、E-UTRANで待ち受けている場合にE-UTRAN以外のアクセス網のセル再選択を好適に行い、CS系のアクセス網への発着信処理を適切に行うことができる移動無線端末および通信処理方法を提供することを目的とする。
【課題を解決するための手段】
【００２２】
本発明の移動無線端末は、上述した課題を解決するために、回線交換網に属する基地局と無線信号を用いて送受信する回線交換網送受信手段と、回線交換網に接続され、回線交換網とともに１つの統合通信網を形成する移動体通信網に属する基地局と無線信号を用いて送受信する移動体通信網送受信手段と、移動体通信網に属する基地局で待ち受け中に回線交換網に関する発着信要求があった場合、回線交換網に属する基地局の再選択または回線交換網に属する基地局から放射される電波が到達可能な範囲であるセルの再選択を行う際に用いられるパラメータ群を第１のパラメータ群に設定する設定手段と、設定手段により設定されたパラメータ群を用いて、回線交換網送受信手段を起動し、回線交換網送受信手段を介して、回線交換網に属する基地局との同期を取得し、回線交換網に関する測定を行うとともに、回線交換網に関するセル再選択基準を満たした場合、回線交換網送受信手段を介して回線交換網に属する基地局またはセルを再選択するように制御する制御手段とを備えることを特徴とする。
【００２３】
本発明の通信処理方法は、上述した課題を解決するために、回線交換網に属する基地局と無線信号を用いて送受信し、回線交換網に接続され、回線交換網とともに１つの統合通信網を形成する移動体通信網に属する基地局と無線信号を用いて送受信し、移動体通信網に属する基地局で待ち受け中に回線交換網に関する発着信要求があった場合、回線交換網に属する基地局の再選択を行う際に用いられるパラメータ群を設定し、設定されたパラメータ群を用いて回線交換網に関する測定を行い、回線交換網に関する再選択基準を満たした場合、回線交換網に属する基地局を再選択するように制御することを特徴とする。
【００２４】
本発明の移動無線端末は、上述した課題を解決するために、少なくともUTRAN、GERAN、およびcdma2000 1x CSアクセス網のいずれか１つ以上が含まれる回線交換網に属する基地局と無線信号を用いて送受信する回線交換網送受信手段と、回線交換網に接続され、回線交換網とともに１つの統合通信網を形成するE-UTRANに属する基地局と無線信号を用いて送受信する移動体通信網送受信手段と、E-UTRANに属する基地局で待ち受け中に回線交換網に関する発着信要求があった場合、回線交換網に属する基地局の再選択を行う際に用いられるパラメータ群を設定する設定手段と、設定手段により設定されたパラメータ群を用いて回線交換網に関する測定を行い、回線交換網に関する再選択基準を満たした場合、回線交換網送受信手段を介して回線交換網に属する基地局を再選択するように制御する制御手段とを備えることを特徴とする。
【００２５】
本発明の通信処理方法は、上述した課題を解決するために、少なくともUTRAN、GERAN、およびcdma2000 1x CSアクセス網のいずれか１つ以上が含まれる回線交換網に属する基地局と無線信号を用いて送受信し、回線交換網に接続され、回線交換網とともに１つの統合通信網を形成するE-UTRANに属する基地局と無線信号を用いて送受信し、E-UTRANに属する基地局で待ち受け中に回線交換網に関する発着信要求があった場合、回線交換網に属する基地局の再選択を行う際に用いられるパラメータ群を設定し、設定されたパラメータ群を用いて回線交換網に関する測定を行い、回線交換網に関する再選択基準を満たした場合、回線交換網に属する基地局を再選択するように制御し、E-UTRANで待ち受け中に回線交換網からの発信要求があり、かつ回線交換網に属する基地局の再選択が失敗したか、または回線交換網に属する基地局への接続確立に失敗した場合、E-UTRANに属する基地局に対してConnection requestを送信し、E-UTRANに属する基地局への接続を確立するとともに、前E-UTRANを経由して回線交換網に発信することを特徴とする。
【００２６】
本発明の通信処理方法は、上述した課題を解決するために、少なくともUTRAN、GERAN、およびcdma2000 1x CSアクセス網のいずれか１つ以上が含まれる回線交換網に属する基地局と無線信号を用いて送受信し、回線交換網に接続され、回線交換網とともに１つの統合通信網を形成するE-UTRANに属する基地局と無線信号を用いて送受信し、E-UTRANに属する基地局で待ち受け中に回線交換網に関する発着信要求があった場合、回線交換網に属する基地局の再選択を行う際に用いられるパラメータ群を設定し、設定されたパラメータ群を用いて回線交換網に関する測定を行い、回線交換網に関する再選択基準を満たした場合、回線交換網に属する基地局を再選択するように制御し、E-UTRANで待ち受け中に回線交換網からの着信要求があり、かつ回線交換網に属する基地局の再選択が失敗したか、または回線交換網に属する基地局への接続確立に失敗した場合、E-UTRANに属する基地局に対してPaging responseを送信し、E-UTRANに属する基地局への接続を確立するとともに、Paging responseを解釈し、回線交換網にPaging responseを送信することを特徴とする。
【発明の効果】
【００２７】
本発明によれば、E-UTRANで待ち受けている場合にE-UTRAN以外のアクセス網のセル再選択を好適に行い、CS系のアクセス網への発着信処理を適切に行うことができる。
【発明を実施するための最良の形態】
【００２８】
以下、本発明の実施の形態について、図面を参照しながら説明する。
【００２９】
本発明に係る移動無線端末は、E-UTRANの基地局とCS系のアクセス網の基地局のいずれにも通信することができる。また、本発明が対象とする移動通信網は、TS23.272に記載のEPSのように、E-UTRANとCS系のアクセス網とが１つの統合されたネットワークとして構成され、かつ協調できるようにEPSの構成要素のそれぞれが接続されており、E-UTRANで待ち受ける移動無線端末がCSサービスを利用することができるように構成されている。なお、本発明の実施形態においては、EPSなどのようにE-UTRANとCS系のアクセス網とが１つの統合されたネットワークを「統合通信網」と定義する。
【００３０】
図５は、本発明に係る移動無線端末１の内部の構成を表している。移動無線端末１は主に、アンテナ３１、無線送受信部３２、信号処理部３３、制御部３９、記憶部４０、およびE-UTRAN間欠受信クロック生成部４３などを備える。
【００３１】
移動無線端末１は、E-UTRAN方式とCS系アクセス網方式のいずれの移動無線通信システムによっても音声通信やデータ通信を行うことが可能であり、アンテナ３１、無線送受信部３２、および信号処理部３３はこれらの両方式に対応している。また、CS系アクセス網方式はいくつかの方式を取ることができ、例えばUTRAN、 GERAN、または1x CSアクセス網などを用いた方式を取ることができる。本発明の実施形態においては、CS系アクセス網方式として例えば1x CSアクセス網方式を取った場合について明示的に記載する。
【００３２】
無線送受信部３２は、アンテナ３１を介して、移動通信網に収容される基地局BSとの間でE-UTRAN方式もしくは1x CSアクセス網方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００３３】
信号処理部３３は、DSP（Digital Signal Processor）などにより構成され、受信ベースバンド信号に所定の信号処理を施し、所定の伝送フォーマットの受信パケットデータを得る。また、信号処理部３３は、受信パケットデータに含まれる音声信号を復調し、この復調結果を復号して音声データなどを得る。一方、信号処理部３３は、送話音声信号を符号化し、符号化によって得た音声データやその他のデータに基づいて変調信号を生成するとともに、生成された変調信号を無線送受信部３２に出力する。
【００３４】
制御部３９は、CPU（Central Processing Unit）、ROM（Read Only Memory）、およびRAM（Random Access Memory）などからなり、CPUは、ROMに記憶されているプログラムまたは記憶部４０からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。具体的には、無線送受信部３２が用いるキャリア周波数を制御し、無線送受信部３２での受信結果に基づいてパイロット信号の探索を行う。RAMは、CPUが各種の処理を実行する上において必要なデータなどを適宜記憶する。
【００３５】
制御部３９には、必要に応じて１または複数のCPUが備えられる。なお、本発明の実施形態では、２つのCPUが備えられる例を示すが、これに限定されず、１つのＣＰＵで実施するように制御してもよいし、３つ以上のCPUで実施するようにしてもよい。通信系制御部３９ａは、図示せぬ通信処理CPUを備え、通信処理に用いる制御を行う。通信系制御部３９ａは、アンテナ３１、無線送受信部３２、信号処理部３３、ＰＣＭコーデック３４、受話増幅器３５、および送話増幅器３７などを用いた通信処理を制御する。一方、ＵＩ系制御部３９ｂは、図示せぬＵＩ処理CPUを備え、記憶部４０、操作部４１、表示部４２、時計回路４６などを用いたＵＩ処理に関して制御を行う。
【００３６】
移動無線端末１の通信系制御部３９ａは、E-UTRANに接続する機能を有するE-UTRAN L1部と、1x CSアクセス網に接続する機能を有する1x CSアクセス網L1部を備える。E-UTRAN L1部と1x CSアクセス網L1部は無線インタフェースの下位のプロトコルであり、これらの処理は移動無線端末１の通信処理CPUによって統括されているものとする。
【００３７】
記憶部４０は、例えば、電気的に書換えや消去が可能な不揮発性メモリであるフラッシュメモリ素子やHDD（Hard Disc Drive）などからなり、制御部３９のCPUにより実行される種々のアプリケーションプログラムや種々のデータ群、移動無線端末１の制御プログラムや制御データ、移動無線端末１またはユーザに固有に割り当てられた識別情報を格納する。この他にも、記憶部４０は、名前と電話番号を対応づけた電話帳データや、データ通信により取得したデータやダウンロードしたデータを適宜記憶する。電源回路４５は、バッテリ４４の出力を基に所定の動作電源電圧Ｖｃｃを生成して各回路部に供給する。移動無線端末１には、現在の時刻を測定する時計回路（タイマ）４６が設けられている。
【００３８】
E-UTRAN間欠受信クロック生成部４３は、E-UTRANとの同期や移動無線端末１に報知されてくる着信情報の監視を実施する際の間欠受信を行うためのE-UTRAN間欠受信クロックを生成し、生成されたE-UTRAN間欠受信クロックを制御部３９に出力する。
【００３９】
なお、移動無線端末１は、受話増幅器３５、受話音声信号を拡声出力するスピーカ３６、送話増幅器３７、送話音声信号を入力するマイクロホン３８、ユーザに要求を受け付ける操作部４１、および受信データに基づく画像を表示する表示部４２を備える。
【００４０】
移動無線端末１がE-UTRANの基地局を検出し、E-UTRANで待ち受けできる状態にある場合には、E-UTRAN側からの着信通知や移動無線端末１からの発信に備えて、移動無線端末はE-UTRANの基地局と同期を維持している。すなわち、移動無線端末１はE-UTRANで待ち受けを実施し、通信系制御部３９ａのE-UTRAN L1部は、E-UTRAN基地局との同期維持および着信を監視するためにE-UTRANより指定される間欠受信周期（DRXE-UTRAN）を用いて間欠起床をして間欠受信を行う。また、移動無線端末がE-UTRANで待ち受けを実施している最中では、移動無線端末は、TS36.304で規定される内容に従い、周辺基地局の探索および基地局の再選択に備えて周辺基地局の測定を実施することができる。ここでは、説明を簡略化するために、周辺基地局として1x CSアクセス網の基地局が存在しているものとする。
【００４１】
次に、図６のフローチャートを参照して、本発明の移動無線端末１における、E-UTRANで待ち受け中に1x CSアクセス網への発着信があった場合のセル再選択動作について説明する。
【００４２】
ステップＳ２１において、通信系制御部３９ａのE-UTRAN L1部は、E-UTRAN間欠受信クロック生成部４３からのE-UTRAN間欠受信クロックに基づいて、E-UTRANの着信監視のための間欠起床を行う。そして、通信系制御部３９ａのE-UTRAN L1部は、無線送受信部３２および信号処理部３３を制御し、E-UTRAN間欠受信を行う。
【００４３】
ステップＳ２２において、通信系制御部３９ａは、E-UTRAN待ち受け中に1x CSアクセス網に関する発着信要求があるか否かを判定する。具体的には、通信系制御部３９ａは、図３に示される5.で1x CSアクセス網からのPaging（1x RTT CS Paging）を無線送受信部３２にて受信することで、E-UTRAN待ち受け中に1x CSアクセス網への着信要求があったと判定する。一方、通信系制御部３９ａは、ユーザにより操作部４１が操作されることによりCSアクセス網への発信指示が受け付けられると、CSアクセス網への発信要求があったと判定する。
【００４４】
ステップＳ２２において通信系制御部３９ａがE-UTRAN待ち受け中に1x CSアクセス網に関する発着信要求があると判定した場合、通信系制御部３９ａの1x CSアクセス網L1部はステップＳ２３で、セル再選択パラメータをCS Fallback modeに設定し、CS Fallback modeへの設定によりTS36.304のセル再選択に係わるパラメータ群を調整する。具体的には、通信系制御部３９ａの1x CSアクセス網L1部は、第１に（Sintrasrch）を無視する設定にし、第２に、セル再選択対象のE-UTRAN以外のアクセス網である1x CSアクセス網のReselection Priority）＞（現在待ち受けているE-UTRANのReselection Priority）に設定し、第３にTreselectionRAT(TreselectionCDMA_1xRTT )=0に設定し、第４に（Threshx,high）を1x CSアクセス網の待ち受けセル選択基準値（すなわち、1x CSアクセス網に接続する際に必要とされる最低限度の数値）に設定する。
【００４５】
ステップＳ２４において、通信系制御部３９ａの1x CSアクセス網L1部は、1x CSアクセス網に関するセル測定開始条件（上述したセル測定開始条件１および２）を満たすか否かを判定する。ここで、ステップＳ２３におけるCS Fallback mode設定によって第１に（Sintrasrch）を無視されるとともに、第２に1x CSアクセス網のReselection Priorityが現在待ち受け中のE-UTRANのReselection Priorityよりも高く設定されていることから、セル測定開始条件１を自動的に満たすこととなる。
【００４６】
ステップＳ２４において通信系制御部３９ａの1x CSアクセス網L1部が1x CSアクセス網に関するセル測定開始条件を満たすと判定した場合、通信系制御部３９ａの1x CSアクセス網L1部はステップＳ２５で、1x CSアクセス網に関するセル測定を即座に開始すべく、無線送受信部３２の1x CSアクセス網用の受信回路を起動して1x CSアクセス網と同期を取る。すなわち、通信系制御部３９ａの1x CSアクセス網L1部、1x CSアクセス網基地局BSから送られてくる無線フレームの同期を取得し、同期フレーム（1x CSアクセス網の場合、Sync channelの無線フレーム）を取得する。これにより、1x CSアクセス網との同期を取得することができる。ステップＳ２６において、通信系制御部３９ａの1x CSアクセス網L1部は、1x CSアクセス網のセルに関する測定を行う。
【００４７】
ステップＳ２７において、通信系制御部３９ａの1x CSアクセス網L1部は、1x CSアクセス網に関するセル再選択基準（上述したセル再選択基準１および２）を満たすか否かを判定する。ここで、ステップＳ２３におけるCS Fallback mode設定によって第３にTreselectionRAT(TreselectionCDMA_1xRTT)=0に設定されるとともに、第４に（Threshx,high）が1x CSアクセス網の待ち受けセル選択基準値に設定されていることから、1x CSアクセス網のセルに関する測定結果に基づいて1x CSアクセス網での待ち受けが可能なレベルであると判断される場合には、再選択基準１を自動的に満たすことになる。
【００４８】
ステップＳ２７において通信系制御部３９ａの1x CSアクセス網L1部が1x CSアクセス網に関するセル再選択基準を満たすと判定した場合、通信系制御部３９ａの1x CSアクセス網L1部はステップＳ２８で、無線送受信部３２および信号処理部３３を制御し、1x CSアクセス網のセルを再選択する。一方、ステップＳ２７において通信系制御部３９ａの1x CSアクセス網L1部が1x CSアクセス網に関するいずれのセル再選択基準も満たさないと判定した場合、通信系制御部３９ａの1x CSアクセス網L1部はステップＳ２９で、1x CSアクセス網のセルを再選択せず、ステップＳ３０で、E-UTRANから指定される間欠受信周期（DRXE-UTRAN）を用いてE-UTRAN間欠受信用タイマを設定する。ステップＳ３１において、通信系制御部３９ａの1x CSアクセス網L1部は、設定されたE-UTRAN間欠受信用タイマのカウント動作を開始し、ステップＳ３２で通信系制御部３９ａの1x CSアクセス網L1部は、無線送受信部３２および信号処理部３３を制御し、E-UTRAN用の回路を停止するとともにSleepする。一方、ステップＳ２４において通信系制御部３９ａの1x CSアクセス網L1部が1x CSアクセス網に関するセル測定開始条件を満たさないと判定した場合、処理はステップＳ２９に進む。
【００４９】
また、ステップＳ２２において通信系制御部３９ａがE-UTRAN待ち受け中に1x CSアクセス網に関する発着信要求はないと判定した場合、ステップＳ２３の処理はスキップされ、セル再選択パラメータはデフォルトの値に設定されたままでセル再選択処理が実行される。そして、E-UTRAN待ち受け中に、1x CSアクセス網のセルが再選択されると、移動無線端末１は、再選択された1x CSアクセス網のセルに対して接続を行い、1x CSアクセス網のセルと通信することが可能となる。
【００５０】
なお、図６のフローチャートにおいては、E-UTRANの間欠受信処理中のいずれかのタイミングで1x CSアクセス網への発信要求または着信要求があった場合におけるセル再選択動作について説明している。しかし、1x CSアクセス網への発信要求はそもそもE-UTRANの間欠受信処理とは関係なく発生するイベントであり、1x CSアクセス網への発信要求は、移動無線端末１がE-UTRAN間欠起床している最中だけでなく、移動無線端末１がスリープしている最中などにも発生しうる。1x CSアクセス網への発信要求が、移動無線端末１がE-UTRAN間欠起床している最中以外のタイミングで発生した場合、移動無線端末１においては図７に示されるセル再選択動作が実行される。なお、図７のステップＳ４１乃至４８の処理は、図６のステップＳ２２乃至Ｓ２９の処理と基本的には同様であり、その説明は繰り返しになるので省略する。
【００５１】
本発明の実施形態においては、回線交換網に属する基地局と無線信号を用いて送受信し、回線交換網に接続され回線交換網とともに１つの統合通信網を形成する移動体通信網に属する基地局と無線信号を用いて送受信し、移動体通信網に属する基地局で待ち受け中に回線交換網に関する発着信要求があった場合、回線交換網に属する基地局の再選択または回線交換網に属する基地局から放射される電波が到達可能な範囲であるセルの再選択を行う際に用いられるパラメータ群を第１のパラメータ群に設定し、設定されたパラメータ群を用いて、無線送受信部３２を起動し、回線交換網に属する基地局との同期を取得し、回線交換網に関する測定を行うとともに、回線交換網に関するセル再選択基準を満たした場合、回線交換網送受信手段を介して、回線交換網に属する基地局またはセルを再選択するように制御することができる。これにより、E-UTRAN待ち受け中に1x CSアクセス網に関する発着信要求があったと判断された場合に、1x CSアクセス網へ待ち受けできるレベルにあるセルを測定により検出できたとき、1x CSアクセス網へのセル再選択を直ちにすることができる。その結果、1x CSアクセス網への発着信処理へ即座に移行することができる。さらに、従来のセル再選択測定および再選択判定処理をそのまま使用することが可能であり、移動無線端末１の変更を必要最小限にとどめることができる。
【００５２】
以上のように、E-UTRANで待ち受けている場合にE-UTRAN以外のアクセス網のセル再選択を好適に行い、CS系のアクセス網への発着信処理を適切に行うことができる。
【００５３】
なお、本発明の実施形態においては、「基地局の再選択」とは、基地局自体の再選択だけでなく、基地局から放射される電波が到達可能な範囲である１のセルまたは複数のセル（セクタごとに分けられた複数のセル）の再選択も含むものとする。
【００５４】
なお、図６のフローチャートを用いて説明したセル再選択動作においては回線交換網として1x CSアクセス網を用いるようにしたが、他のCS系のアクセス網（例えばUTRANやGERANなど）にも本発明を適用するようにしてもよい。
【００５５】
ところで、図６のフローチャートを用いて説明したセル再選択動作においては、E-UTRAN待ち受け中に、1x CSアクセス網のセルが再選択されると、移動無線端末１は、再選択された1x CSアクセス網のセルに対して接続を行い、1x CSアクセス網のセルと通信することが可能となる。しかし、1x CSアクセス網のセルを再選択したものの、例えば局所的に1x CSアクセス網のセル再選択先の電力が足らないために1x CSアクセス網側で通信できるレベルではなくなったことなどから、1x CSアクセス網への接続を中止せざるを得ない状況も生じうる。そこで、このような場合、1x CSアクセス網への接続を中止するとともにCS Fall back mode設定を適切に制御しなければならない。以下、この方法を用いた1x CSアクセス網へのCS Fallback設定継続判定動作について説明する。
【００５６】
図８のフローチャートを参照して、図５の移動無線端末１におけるCS Fallback設定継続判定動作について説明する。なお、このCS Fallback設定継続判定動作は、図６のセル再選択動作と並行して実行される。
【００５７】
ステップＳ５１において、通信系制御部３９ａの1x CSアクセス網L1部は、E-UTRAN待ち受け中に1x CSアクセス網のセルを再選択すると、無線送受信部３２および信号処理部３３を制御し、再選択された1x CSアクセス網のセルに対応する基地局に対して接続を開始する。ステップＳ５２において、通信系制御部３９ａの1x CSアクセス網L1部は、無線送受信部３２および信号処理部３３を制御し、再選択された1x CSアクセス網のセルに対応する基地局への接続が確立したか否かを判定する。ステップＳ５２において通信系制御部３９ａの1x CSアクセス網L1部が、再選択された1x CSアクセス網のセルに対応する基地局への接続が確立したと判定した場合、通信系制御部３９ａの1x CSアクセス網L1部はステップＳ５３で、CS Fallback mode設定を解除し、CS Fallback modeにより設定されていたセル再選択パラメータをデフォルトの値に再設定するとともに、CS Fallback modeを終了する。このとき、移動無線端末１は、再選択された1x CSアクセス網のセルに対応する基地局への接続が確立されて接続状態となり、通信が可能となる。
【００５８】
一方、ステップＳ５２において通信系制御部３９ａの1x CSアクセス網L1部が、再選択された1x CSアクセス網のセルに対応する基地局への接続が確立していないと判定した場合、通信系制御部３９ａの1x CSアクセス網L1部は、再選択された1x CSアクセス網のセルに対応する基地局への接続を再度実施するとともに、いずれかのCS Fallback mode中止条件を満たしたか否かを判定する。ここで、CS Fallback mode中止条件として、例えば接続回数に関する条件や、1x CSアクセス網への接続開始から経過した一定時間に関する条件が予め設定されている。そして、通信系制御部３９ａの1x CSアクセス網L1部は、再選択された1x CSアクセス網のセルに対応する基地局への接続を再度実施するのと並行して、再選択された1x CSアクセス網のセルに対応する基地局への接続がCS Fallback mode中止条件として設定されている接続回数（例えば３回など）を超えていないか、あるいは、1x CSアクセス網への接続開始から一定時間（例えば５分間など）が経過していないかを判定する。
【００５９】
ステップＳ５４において通信系制御部３９ａの1x CSアクセス網L1部が、いずれかのCS Fallback mode中止条件を満たしていないと判定した場合、通信系制御部３９ａの1x CSアクセス網L1部はステップＳ５５で、CS Fallback mode設定を継続し、処理はステップＳ５１に進み、通信系制御部３９ａの1x CSアクセス網L1部は、予め設定されたいずれかのCS Fallback mode中止条件を満たすまで再選択された1x CSアクセス網のセルに対応する基地局への接続を繰り返し試行する。一方、ステップＳ５４において通信系制御部３９ａの1x CSアクセス網L1部が、いずれかのCS Fallback mode中止条件を満たしたと判定した場合、処理はステップＳ５３に進み、通信系制御部３９ａの1x CSアクセス網L1部は、CS Fallback mode設定を解除し、CS Fallback modeにより設定されていたセル再選択パラメータをデフォルトの値に再設定するとともに、CS Fallback modeを終了する。勿論、CS Fallback modeを終了するのではなく、CS Fallback mode設定を維持しつつ、その後再度、図６のステップ２６に戻り、1x CSアクセス網のセルに関する測定を行うとともに、1x CSアクセス網のセルを再選択するようにしてもよい。
【００６０】
これにより、1x CSアクセス網への接続の中止動作に連動させてCS Fall back mode設定を適切に制御することができ、所定のCS Fallback mode中止条件を満たすまで、CS fallback modeの場合に1x CS網への接続を繰り返して試みることができる。従って、より1x CSアクセス網への接続率を高めることができる。その結果、E-UTRANで待ち受けている場合にE-UTRAN以外のアクセス網のセル再選択を好適に行い、CS系のアクセス網への発着信処理を適切に行うことができる。
【００６１】
なお、図８のフローチャートを用いて説明したCS Fallback設定継続判定動作においては回線交換網として1x CSアクセス網を用いるようにしたが、他のCS系のアクセス網（例えばUTRANやGERANなど）にも本発明を適用するようにしてもよい。
【００６２】
なお、図８を用いて説明したCS Fallback設定継続判定動作の場合、1x CSアクセス網のセルを再選択したものの、所定のCS Fallback mode中止条件を満たすと、1x CSアクセス網への接続が中止されてしまう。この場合、ユーザビリティを考慮すると、接続が不可能な1x CSアクセス網以外のアクセス網を用いて発着信処理を行うことが好ましい。そこで、1x CSアクセス網への接続試行が失敗した場合に他のアクセス網を用いて基地局網との接続を継続するようにする。以下、この方法を用いた動作について説明する。
【００６３】
図９は、移動無線端末１がE-UTRANで待ち受け中に1x CSアクセス網に関する発着信要求があった場合に、接続が困難な1x CSアクセス網に代えてE-UTRANで接続を行う際の移動無線端末とEPSの各構成間の処理のシーケンスを示している。なお、図９の場合、再選択された1x CSアクセス網のセルに対応する基地局への接続が確立できないときを前提としている。
【００６４】
ステップＳ１０１において、移動無線端末（UE）１は、E-UTRANで待ち受けを実施し、E-UTRAN基地局との同期維持および着信を監視するためにE-UTRANより指定される間欠受信周期（DRXE-UTRAN）を用いて間欠起床をして間欠受信を行う。ステップＳ１０２において、通信系制御部３９ａの1x CSアクセス網L1部は、1x CSアクセス網への発信要求を受け付けると、図６または図７に示される1x CSアクセス網へのセル再選択動作、および図８に示される1x CSアクセス網へのCS Fallback設定継続判定動作を行う。1x CSアクセス網の基地局への接続が失敗に終った場合、通信系制御部３９ａのE-UTRAN L1部は、現在待ち受け中のE-UTRANを用いた接続を開始する。すなわち、通信系制御部３９ａのE-UTRAN L1部は、無線送受信部３２および信号処理部３３を制御し、E-UTRANに対して接続要求を送信し、E-UTRANでのVoice call (VoIP call)のサービスをE-UTRANに対して要求する。その後、ステップＳ１０４において、通信系制御部３９ａのE-UTRAN L1部は、E-UTRANとの間で接続を確立し、このとき、通信先が1x RTTのみの場合、網側でドメイン変換（TS23.206、TS24.206）を実施してE-UTRAN-1x RTT間で接続される。
【００６５】
図１０は、移動無線端末１がE-UTRANで待ち受け中に1x CSアクセス網からの着信要求があった場合に、接続が困難な1x CSアクセス網に代えてE-UTRANで接続を行う際の移動無線端末とEPSの各構成間の処理のシーケンスを示している。
【００６６】
ステップＳ１２１において、移動無線端末（UE）１は、E-UTRANで待ち受けを実施し、E-UTRAN基地局との同期維持および着信を監視するためにE-UTRANより指定される間欠受信周期（DRXE-UTRAN）を用いて間欠起床をして間欠受信を行う。ステップＳ１２２において、通信系制御部３９ａの1x CSアクセス網L1部は、1x CSアクセス網からの着信要求を受け付けると、図６または図７に示される1x CSアクセス網へのセル再選択動作、および図８に示される1x CSアクセス網へのCS Fallback設定継続判定動作を行う。ステップＳ１２３において、1x CSアクセス網の基地局への接続が失敗に終った場合、通信系制御部３９ａのE-UTRAN L1部は、無線送受信部３２および信号処理部３３を制御し、E-UTRANに対してPaging Responseを返す。このPaging responseには、移動無線端末１がE-UTRANでの接続が可能であることを示している。これにより、例えば、CS音声の着信である場合には、VoIP(Voice over IP)での接続可能である旨をE-UTRANの基地局に対して通知することができる。E-UTRAN側では、このPaging responseを解釈し、着信要求元に対してpaging responseを送信し、通話元のCS接続とVoIPを変換して接続し音声通話を実現することができる。このとき、ステップＳ１２４において、MMEは、E-UTRANからのPaging responseであることを解釈し、1x RTT CS Pagingに対する応答（paging response）を1x CS IWSに送信し、1x CS IWSはMMEから受けたpaging responseを1xRTT MSCへ伝達する。
【００６７】
ステップＳ１２５において、通信系制御部３９ａのE-UTRAN L1部は、無線送受信部３２および信号処理部３３を制御し、Domain Transfer機能を用いてTS23.206とTS24.206に従い、通話元のCS接続とVoIPを変換して接続し音声通話を行う。
【００６８】
これにより、CS Fallback機能による1x CSアクセス網への接続が失敗に終わった場合においても、E-UTRANの接続を実施することにより、CS系のサービスを受けることができる。従って、E-UTRANで待ち受けている場合にE-UTRAN以外のアクセス網のセル再選択を好適に行い、CS系のアクセス網への発着信処理をより適切に行うことができる。
【００６９】
なお、図９および図１０を用いて処理においては回線交換網として1x CSアクセス網を用いるようにしたが、他のCS系のアクセス網（例えばUTRANやGERANなど）にも本発明を適用するようにしてもよい。また、図９および図１０の処理は、1x CSアクセス網の基地局への接続が確立できない場合だけでなく、図９および図１０に示されるように、1x RTTへのリセレクションが失敗した場合（すなわち、1x CSアクセス網の基地局の再選択が行われなかった場合）にも適用することができる。
【００７０】
また、本発明の実施形態において説明した一連の処理は、ソフトウェアにより実行させることもできるが、ハードウェアにより実行させることもできる。
【００７１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７２】
【図１】CS Fallback機能を有するEPSの概略を示す図。
【図２】移動無線端末がE-UTRANで待ち受けている場合に1x CSアクセス網に対して発信する際の移動無線端末とEPSの各構成間の処理のシーケンスを示す図。
【図３】移動無線端末がE-UTRANで待ち受けている場合に1x CSアクセス網からの着信を処理する際の移動無線端末とEPS各構成間の処理のシーケンスを示す図。
【図４】セル測定開始条件およびセル再選択基準に基づいて移動無線端末にて行われるE-UTRAN待ち受け中のセル再選択動作を説明するフローチャート。
【図５】本発明に係る移動無線端末の内部の構成を示すブロック図。
【図６】図５の移動無線端末における、E-UTRANで待ち受け中に1x CSアクセス網への発着信があった場合のセル再選択処理を説明するフローチャート。
【図７】図５の移動無線端末における、E-UTRANで待ち受け中に1x CSアクセス網への発信があった場合のセル再選択処理を説明するフローチャート。
【図８】図５の移動無線端末におけるCS Fallback設定継続判定動作を説明するフローチャート。
【図９】移動無線端末がE-UTRANで待ち受け中に1x CSアクセス網に関する発着信要求があった場合に、接続が困難な1x CSアクセス網に代えてE-UTRANで接続を行う際の移動無線端末とEPSの各構成間の処理のシーケンスを示す図。
【図１０】移動無線端末がE-UTRANで待ち受け中に1x CSアクセス網からの着信要求があった場合に、接続が困難な1x CSアクセス網に代えてE-UTRANで接続を行う際の移動無線端末とEPSの各構成間の処理のシーケンスを示す図。
【符号の説明】
【００７３】
１…移動無線端末、３１…アンテナ、３２…無線送受信部、３３…信号処理部、３４…ＰＣＭコーデック、３５…受話増幅器、３６…スピーカ、３７…送話増幅器、３８…マイクロホン、３９…制御部、４０…記憶部、４１…操作部、４２…表示部、４３…E-UTRAN間欠受信クロック生成部、４４…バッテリ、４５…電源回路、４６…時計回路。
【図１】
2010068250.tif 000003
【図２】
2010068250.tif 000004
【図３】
2010068250.tif 000005
【図４】
2010068250.tif 000006
【図５】
2010068250.tif 000007
【図６】
2010068250.tif 000008
【図７】
2010068250.tif 000009
【図８】
2010068250.tif 000010
【図９】
2010068250.tif 000011
【図１０】
2010068250.tif 000012